(57)【要約】【課題】  雑音が発生しない静荷重付与装置を提供する。【解決手段】  静荷重付与装置１は、ウエイトレバー３の下部に、他端側から一端側に向かう長手方向に沿って延設された噛合溝３０が形成されており、この噛合溝３０がウエイトレバー３の下面で開口する挿通孔は、ウエイトレバー３の軸部２０のみを挿通可能な大きさに形成されている。この静荷重付与装置１では、押鍵したとき、頭部２１が噛合溝３０から抜けることなく摺動することによって、鍵盤９０と一体的に動作する。従って、この静荷重付与装置１を用いると、従来の静荷重付与装置のように、ウエイトレバー３が鍵盤９０から離れることなく鍵盤９０と一体的に動作するので、従来の静荷重付与装置のようにウエイトレバー３とウエイトレバーストップレールあるいはキャプスタンスクリュー２と衝突して発生する際生じていた雑音を確実に抑えることができる。【選択図】  図１
2005128432.tif 000002
【特許請求の範囲】
【請求項１】
鍵盤上に立設されたキャプスタンスクリューと、
前記鍵盤の上方に設置され、一端が上下方向に揺動するよう他端が固定されたウエイトレバーと
を備え、
前記ウエイトレバーの重量を、前記キャプスタンスクリューを介して前記鍵盤に掛けることにより、静荷重を前記鍵盤に付与する静荷重付与装置において、
前記ウエイトレバーの下面で開口し、該ウエイトレバーの長手方向に沿って延設された噛合溝を備え、
該噛合溝は、
前記キャプスタンスクリューの頭部が抜けることを防止可能な形状に形成されていることを特徴とする静荷重付与装置。
【請求項２】
請求項１記載の静荷重付与装置において、
前記キャプスタンスクリューは、
軸部の上端に、該軸部よりも幅広な前記頭部を備え、
前記ウエイトレバーの下面で開口する前記噛合溝の挿通孔は、
前記軸部のみを挿通可能な大きさに前記長手方向に沿って形成されていることを特徴とする静荷重付与装置。
【請求項３】
請求項１，２いずれか記載の静荷重付与装置において、
前記頭部の上面及び下面に対向する前記噛合溝の内面には、フェルトが積層されていることを特徴とする静荷重付与装置。
【請求項４】
請求項１〜３いずれか記載の静荷重付与装置において、
前記ウエイトレバーの一端には、錘が取り付けられていることを特徴とする静荷重付与装置。
【請求項５】
請求項４記載の静荷重付与装置において、
前記錘を前記ウエイトレバーにネジ止めする際に使用するネジを、前記噛合溝を通るようにウエイトレバーに螺入したことを特徴とする静荷重付与装置。
【発明の詳細な説明】
【技術分野】
【０００１】
本発明は、静荷重付与装置に関する。
【背景技術】
【０００２】
アコースティックピアノの鍵盤を押鍵する時に演奏者が感じる、アクション装置を動かす手応感を電子ピアノでも感じることができるよう、従来の電子ピアノは、図３に示すような、静荷重付与装置１００を備えている。
【０００３】
この静荷重付与装置１００は、鍵盤の非演奏者側の上面に取り付けられたキャプスタンスクリュー１１０と、このキャプスタンスクリュー１１０の上方に設置され、一端が上下方向に揺動するよう他端がウエイトレバーフレンジ１２０に固定されたウエイトレバー１３０と、このウエイトレバー１３０のさらに上方に設置されたウエイトレバーストップレール１４０とを備えている。また、ウエイトレバー１３０の一端上面には、錘１３１がネジ止めされている。
【０００４】
この静荷重付与装置１００は、ウエイトレバー１３０と錘１３１の重さがキャプスタンスクリュー１１０を介して鍵盤２００に掛っているので、押鍵する際、それらの重さが、あたかもアコースティックピアノのアクション装置を持ち上げているかのような感覚を演奏者に与えている。
【０００５】
そして、この静荷重付与装置１００では、押鍵が終了すると、ウエイトレバー１３０は慣性運動によりキャプスタンスクリュー１１０から離れて上昇し、ウエイトレバーストップレール１４０に衝突する（図３中点線で示したウエイトレバー１３０）。その後ウエイトレバー１３０は下降し、再びキャプスタンスクリュー１１０上に載る。
【特許文献１】特開２００３−２１６１４３号公報
【発明の開示】
【発明が解決しようとする課題】
【０００６】
しかし、従来の静荷重付与装置１００では、ウエイトレバー１３０が上昇してウエイトレバーストップレール１４０に衝突するときと、下降してキャプスタンスクリュー１１０上に載るときに雑音が発生するという問題があった。
【０００７】
そのため、ウエイトレバーストップレール１４０の下面と、ウエイトレバー１３０の下面にフェルト１４２，１３２を積層していたが、雑音の発生を完全に抑える事はできなかった。
【０００８】
そこで本発明では、雑音が発生しない静荷重付与装置を提供することを目的とする。
【課題を解決するための手段】
【０００９】
上述した問題点を解決するためになされた請求項１に記載の発明は、鍵盤上に立設されたキャプスタンスクリューと、前記鍵盤の上方に設置され、一端が上下方向に揺動するよう他端が固定されたウエイトレバーとを備え、前記ウエイトレバーの重量を、前記キャプスタンスクリューを介して前記鍵盤に掛けることにより、静荷重を前記鍵盤に付与する静荷重付与装置において、前記ウエイトレバーの下面で開口し、該ウエイトレバーの長手方向に沿って延設された噛合溝を備え、該噛合溝は、前記キャプスタンスクリューの頭部が抜けることを防止可能な形状に形成されていることを特徴とする。
【００１０】
この請求項１記載の静荷重付与装置では、押鍵すると、まず、キャプスタンスクリューの頭部が、ウエイトレバーを上方に持ち上げつつ、ウエイトレバーの下面に設けられた噛合溝内を摺動する。その後押鍵が終了しても、ウエイトレバーの噛合溝が、キャップスタンスクリューの頭部が抜けることを防止可能な形状に形成されているので、ウエイトレバーは、従来の静荷重付与装置のように慣性運動によってキャプスタンスクリューから離れることなく、鍵と一体的に動作する。これにより、ウエイトストップレバーは必要なくなる。
【００１１】
従って、本発明の静荷重付与装置を用いると、ウエイトレバーが鍵盤から離れることなく鍵盤と一体的に動作するので、従来の静荷重付与装置のようにウエイトレバーとウエイトレバーストップレールあるいはキャプスタンスクリューと衝突して発生する際生じる雑音を確実に抑えることができる。
【００１２】
次に、請求項２記載の静荷重付与装置のように、キャプスタンスクリューは、軸部の上端に、軸部よりも幅広な頭部を備え、ウエイトレバーの下面で開口する噛合溝の挿通孔は、軸部のみを挿通可能な大きさに長手方向に沿って形成されていることが好ましい。このようにキャプスタンスクリュー及び噛合溝を形成すれば、キャプスタンスクリューの頭部が噛合溝から抜けることが簡単な構造であるにも関わらず確実に防止される。
【００１３】
次に、請求項３記載の静荷重付与装置のように、頭部の上面及び下面に対向する噛合溝の内面には、フェルトが積層されていてもよい。このように構成すれば、キャプスタンスクリューの頭部が噛合溝の上下壁面に当たって発生する雑音をも防止することができ、しかも、キャプスタンスクリューの頭部を噛合溝内でスムーズに摺動させることができる。
【００１４】
次に、請求項４記載の静荷重付与装置のように、ウエイトレバーの一端には、錘が取り付けられていることが好ましい。このようにすれば錘の重さや取り付け位置を変えるだけで、静荷重を調整することができる。
【００１５】
次に、請求項５記載の静荷重付与装置のように、錘をウエイトレバーにネジ止めする際に使用するネジを、噛合溝を通るようにウエイトレバーに螺入することが好ましい。このように構成すれば、キャプスタンスクリューの頭部がネジに当たって適当な位置で止めることができるのでストッパーの役目をする。
【発明を実施するための最良の形態】
【００１６】
以下、本発明を実施するための最良の形態について図面を用いて説明する。
図１は本実施形態の静荷重付与装置の側面図（鍵の配列方向に沿って静荷重付与装置を見た図）であって、ウエイトレバーの一部を断面図で示している。図２は、図１の矢印Ａ方向から見た背面図（鍵の長手方向に沿って静荷重付与装置を非演奏者側から見た図）である。尚、図２では、錘を止めるネジについては記載を省略してある。
【００１７】
図１に示すように、本実施形態の静荷重付与装置１は、キャプスタンスクリュー２と、ウエイトレバー３と、錘４とを備えている。
このうちキャプスタンスクリュー２は、軸部２０の上端に、軸部２０よりも幅広な頭部２１を備えており、軸部２０を鍵盤９０に螺入することにより鍵盤９０上に立設されている。
【００１８】
ウエイトレバー３は、鍵盤９０の上方に設置されている。そしてこのウエイトレバー３は、一端側が上下方向に揺動するよう、鍵盤９０の上方で鍵盤９０の配列方向に沿って設けられたウエイトレバーフレンジ９１に他端側が固定されている。また、このウエイトレバー３の下部には、他端側から一端側に向かう長手方向に沿って延設され、しかも長手方向及び上下方向に平行な揺動面に沿ってキャプスタンスクリュー２が揺動した場合に、頭部２１が揺動可能な大きさを有する噛合溝３０が形成されている。またこの噛合溝３０は、図２に示すように、ウエイトレバー３の下面で開口しており、この開口である挿通孔３１は、軸部２０のみを挿通可能な大きさに形成されている。このように構成することによって、キャプスタンスクリュー２の頭部２１が長手方向に沿って摺動可能であり、かつ、キャプスタンスクリュー２の頭部２１が抜けることを防止される。さらにこのウエイトレバー３０の内面であって、キャプスタンスクリュー２の頭部２１の上面及び下面に対向する面には、フェルト３２、３２が積層されている。
【００１９】
錘４は、ウエイトレバー３の一端側の上面にネジ止めされている。そして、この錘４をウエイトレバー３にネジ止めする際に使用するネジ４０の軸部４１は、噛合溝３０を通るようにウエイトレバー３に螺入されている。
【００２０】
このように構成された静荷重付与装置１では、ウエイトレバー３の一端側を、キャプスタンスクリュー２を介して鍵盤９０に載せ、ウエイトレバー３及び錘４の重量を鍵盤９０に掛けることにより、鍵盤９０に静荷重を付与している。
【００２１】
そして、この静荷重付与装置１では、押鍵すると、まず、キャプスタンスクリュー２の頭部２１が、ウエイトレバー３を上方に持ち上げつつ、ウエイトレバー３の下面に設けられた噛合溝３０内を摺動する。その後押鍵が終了しても、ウエイトレバー３の噛合溝３０が、キャップスタンスクリュー２の頭部２１が抜けることを防止可能な形状に形成されているので、ウエイトレバー３は、従来の静荷重付与装置のように慣性運動によってキャプスタンスクリュー２から離れることなく、鍵９０と一体的に動作する。
【００２２】
従って、本実施形態の静荷重付与装置１を用いると、ウエイトレバー３が鍵盤９０から離れることなく鍵盤９０と一体的に動作するので、従来の静荷重付与装置のようにウエイトレバー３とウエイトレバーストップレールあるいはキャプスタンスクリュー２と衝突して発生する際生じる雑音を確実に抑えることができる。これにより、ウエイトストップレバーは必要なくなる。
【００２３】
また、本実施形態の静荷重付与装置１のように、キャプスタンスクリュー２及び噛合溝３０を形成すれば、キャプスタンスクリュー２の頭部２１が噛合溝３０から抜けることが簡単な構造であるにも関わらず確実に防止される。
【００２４】
また、本実施形態の静荷重付与装置１のように、頭部２１の上面及び下面に対向するウエイトレバー３０の内面には、フェルト３２，３２が積層されているので、キャプスタンスクリュー２の頭部２１がウエイトレバー３０の上下壁面に当たって発生する雑音をも防止することができ、しかも、キャプスタンスクリュー２の頭部２１をウエイトレバー３０内でスムーズに摺動させることができる。
【００２５】
また、本実施形態の静荷重付与装置１では、ウエイトレバー３の一端に、錘４をネジとめする構造なので、錘４の重さや取り付け位置を変えるだけで、静荷重を調整することができる。
【００２６】
また、本実施形態の静荷重付与装置１のように、錘４をウエイトレバー３にネジ止めする際に使用するネジ４０を、ウエイトレバー３０を通るようにウエイトレバー３に螺入しているので、キャプスタンスクリュー２の頭部２１がネジに当たって適当な位置で止めるストッパーの役目をさせることができる。
【００２７】
尚、以上本発明の一実施形態ついて説明したが、本発明はこの実施形態に何等限定されるものではなく、本発明の要旨を逸脱しない範囲において、種々なる態様で実施し得ることは勿論である。
【図面の簡単な説明】
【００２８】
【図１】本実施形態の静荷重付与装置の側面図（鍵の配列方向に沿って静荷重付与装置を見た図）であって、ウエイトレバーの一部を断面図で示している。
【図２】図１の矢印Ａ方向から見た背面図（鍵の長さ方向に沿って静荷重付与装置を非演奏者側から見た図）である。
【図３】従来の静荷重付与装置の側面図（鍵の配列方向に沿って静荷重付与装置を見た図）である。
【符号の説明】
【００２９】
１…静荷重付与装置、２…キャプスタンスクリュー、３…ウエイトレバー、４…錘、９…鍵盤、２０…軸部、２１…頭部、３０…噛合溝、３１…挿通孔、３２…フェルト、４０…ネジ、４１…軸部、９０…鍵盤、９１…ウエイトレバーフレンジ
【図１】
2005128432.tif 000003
【図２】
2005128432.tif 000004
【図３】
2005128432.tif 000005